(57)【特許請求の範囲】
【請求項１】
複数種類のカレンダー情報を表示可能な時計であって、
カレンダー情報の種類を指示する第１指針と、
前記第１指針が指示する種類のカレンダー情報の値を指示する第２指針と、を備え、
前記第１指針が指示可能なカレンダー情報の種類は、日、月、閏年からの経過年であり、
前記第２指針が指示可能なカレンダー情報の値は、０〜３１であり、
前記第２指針は、
前記第１指針が日を指示する場合には、０を指示する位置は早送りで移動し、
前記第１指針が月を指示する場合には、０，１３〜３１を指示する位置は早送りで移動し、
前記第１指針が閏年からの経過年を指示する場合には、４〜３１を指示する位置は早送りで移動する
ことを特徴とする時計。
【請求項２】
複数種類のカレンダー情報を表示可能な時計であって、
カレンダー情報の種類を指示する第１指針と、
前記第１指針が指示する種類のカレンダー情報の値を指示する第２指針と、を備え、
前記第１指針を駆動する第１駆動手段と、
前記第２指針を駆動する第２駆動手段と、
操作手段と、
前記操作手段に対する操作を検出し、前記操作を検出すると検出信号を出力する検出部と、
前記検出信号が入力されると、前記第１駆動手段を制御して、前記第１指針が指示するカレンダー情報の種類を切り替え、前記第２駆動手段を制御して、前記第１指針が指示する種類のカレンダー情報の値を前記第２指針に指示させるカレンダー表示処理部と、を備える
ことを特徴とする時計。
【請求項３】
請求項２に記載の時計において、
前記第１指針が指示可能なカレンダー情報の種類は、日、月、閏年からの経過年であり、
前記第２指針が指示可能なカレンダー情報の値は、０〜３１である
ことを特徴とする時計。
【請求項４】
請求項３に記載の時計において、
前記第２指針は、正転および逆転移動可能に構成され、
前記第２指針の移動範囲は、
前記第１指針が月を指示する場合には、１〜１２を指示する範囲内に限定され、
前記第１指針が閏年からの経過年を指示する場合には、０〜３を指示する範囲内に限定される
ことを特徴とする時計。
【請求項５】
請求項１から請求項４のいずれか一項に記載の時計において、
前記第１指針は、曜日を指示可能に構成され、
前記第１指針が曜日を指示する場合、前記第２指針は、日の値を指示する
ことを特徴とする時計。
【発明の詳細な説明】
【技術分野】
【０００１】
本発明は、カレンダー情報を表示する時計に関する。
【背景技術】
【０００２】
従来、アナログ時計において、指針で日付を表示する時計が知られている（例えば、特許文献１参照）。
特許文献１の時計では、文字盤の外周表面に、１〜３１の数字が表示され、これらの数字を日付針が指示することで日付が表示される。
【先行技術文献】
【特許文献】
【０００３】
【特許文献１】特許第２８５２７６９号公報
【発明の概要】
【発明が解決しようとする課題】
【０００４】
ところで、時計では、パーペチュアル時計のように、日付に加えて月や閏年からの経過年（以下、単に経過年とも称す）を表示することが求められる場合があるが、特許文献１の時計では、月や経過年を表示することについては開示されていない。特許文献１の時計において、日付に加えて月や経過年を表示させるには、例えば、日付針に、１日〜３１日を示す記号や目盛に加えて、１月〜１２月、０年〜３年を示す記号や目盛を指示させることが考えられる。しかしながら、この場合、日付針が指示する記号や目盛の数が多くなり、指示位置の間隔を狭くする必要がある。このため、日付、月、経過年をユーザーが確認しにくくなるという問題がある。
【０００５】
本発明の目的は、複数種類のカレンダー情報を分かり易く表示可能な時計を提供することにある。
【課題を解決するための手段】
【０００６】
本発明は、複数種類のカレンダー情報を表示可能な時計であって、カレンダー情報の種類を指示する第１指針と、前記第１指針が指示する種類のカレンダー情報の値を指示する第２指針と、を備えることを特徴とする。
【０００７】
表示可能なカレンダー情報の種類は、例えば、日、月、閏年からの経過年等であり、カレンダー情報の値は、例えば、０〜３１である。
本発明によれば、例えばユーザーが時計のボタン等を操作して、第１指針にカレンダー情報の種類の１つを指示させると、第２指針は、第１指針が指示する種類のカレンダー情報の値を指示する。これにより、ユーザーは、第１指針が指示するカレンダー情報の種類と、第２指針が指示するカレンダー情報の値とに基づいて、カレンダー情報を確認できる。そして、ユーザーは、例えば時計のボタン等を操作して、第１指針が指示するカレンダー情報の種類を切り替えることで、複数種類のカレンダー情報を確認できる。
また、第２指針はカレンダー情報の値（０〜３１）を指示すればよいので、例えば、第２指針が、１日〜３１日を示す記号や目盛と、１月〜１２月を示す記号や目盛と、０年〜３年を示す記号や目盛を指示することで、第２指針のみで複数種類のカレンダー情報（１日〜３１日、１月〜１２月、０年〜３年）を指示する場合と比べて、第２指針の指示位置の間隔を広くでき、カレンダー情報を分かり易く表示できる。
【０００８】
本発明の時計において、前記第１指針が指示可能なカレンダー情報の種類は、日、月、閏年からの経過年であり、前記第２指針が指示可能なカレンダー情報の値は、０〜３１であることが好ましい。
【０００９】
本発明によれば、第２指針は、０〜３１のうち、第１指針が日を指示する場合には、１〜３１のいずれかを指示し、第１指針が月を指示する場合には、１〜１２のいずれかを指示し、第１指針が経過年を指示する場合には、０〜３のいずれかを指示する。したがって、第２指針は、０〜３１の３２個の値を指示することで、日、月、経過年の値を示す複数種類のカレンダー情報の値を指示できる。
【００１０】
本発明の時計において、前記第１指針は、曜日を指示可能に構成され、前記第１指針が曜日を指示する場合、前記第２指針は、日の値を指示することが好ましい。
【００１１】
本発明によれば、ユーザーは、第１指針が曜日を指示することで、曜日を確認できると共に、カレンダー情報の種類が日であることを確認でき、第２指針が指示する値に基づいて、日の値を確認できる。
ユーザーは、一般的に、日の値と共に曜日を確認したいと考えることがある。このため、ユーザーが日の値と共に曜日を確認できることで、時計をさらに使い易くできる。
また、本発明によれば、第１指針および第２指針に加えて、曜日を指示する専用の指針を別途設ける必要がないため、当該専用の指針を別途設ける場合と比べて、時計が備える指針の数を少なくできる。
【００１２】
本発明の時計において、前記第１指針が指示可能なカレンダー情報の種類は、日、月、閏年からの経過年であり、前記第２指針が指示可能なカレンダー情報の値は、０〜３１であり、前記第２指針は、正転および逆転移動可能に構成され、前記第２指針の移動範囲は、前記第１指針が月を指示する場合には、１〜１２を指示する範囲内に限定され、前記第１指針が閏年からの経過年を指示する場合には、０〜３を指示する範囲内に限定されることが好ましい。
【００１３】
ここで、第２指針による０〜３１の指示位置は、第２指針が正転移動した場合に０〜３１が順番に指示されるように設定されている。
本発明によれば、時間が経過してカレンダー情報の値が更新され、第２指針が次の値を指示する場合や、ユーザーが、時計のリューズ等を操作して第２指針を移動させることでカレンダー情報の値を設定する際に、第２指針に次の値を指示させる場合、第２指針は次のように移動する。
すなわち、第１指針が月を指示し、第２指針が１２を指示している場合、第２指針は逆転移動して２〜１１を指示する位置を通過して１を指示する。このため、第２指針が正転移動して１３〜３１，０を指示する位置を通過して１を指示する場合と比べて、第２指針の移動距離を短くできる。
また、第１指針が経過年を指示し、第２指針が３を指示している場合、第２指針は逆転移動して１，２を指示する位置を通過して０を指示する。このため、第２指針が正転移動して４〜３１を指示する位置を通過して０を指示する場合と比べて、第２指針の移動距離を短くできる。
これにより、時計の消費電力を低減でき、また、カレンダー情報の値の設定を迅速に行うことができる。
なお、第１指針が日を指示し、第２指針が３１を指示している場合、第２指針は正転移動して０を指示する位置を通過して１を指示する。
【００１４】
本発明の時計において、前記第１指針が指示可能なカレンダー情報の種類は、日、月、閏年からの経過年であり、前記第２指針が指示可能なカレンダー情報の値は、０〜３１であり、前記第２指針は、前記第１指針が日を指示する場合には、０を指示する位置は早送りで移動し、前記第１指針が月を指示する場合には、０，１３〜３１を指示する位置は早送りで移動し、前記第１指針が閏年からの経過年を指示する場合には、４〜３１を指示する位置は早送りで移動することが好ましい。
【００１５】
本発明によれば、ユーザーが、時計のリューズ等を操作して第２指針を移動させることで、カレンダー情報の値を設定する際、第２指針は、設定対象ではない値を指示する位置は早送りで移動するため、早送りで移動しない場合と比べて、カレンダー情報の値の設定を迅速に行うことができる。
【００１６】
本発明の時計において、前記第１指針を駆動する第１駆動手段と、前記第２指針を駆動する第２駆動手段と、操作手段と、前記操作手段に対する操作を検出し、前記操作を検出すると検出信号を出力する検出部と、前記検出信号が入力されると、前記第１駆動手段を制御して、前記第１指針が指示するカレンダー情報の種類を切り替え、前記第２駆動手段を制御して、前記第１指針が指示する種類のカレンダー情報の値を前記第２指針に指示させるカレンダー表示処理部と、を備えることが好ましい。
【００１７】
本発明によれば、ユーザーが操作手段を操作することで、検出部から検出信号が出力され、当該検出信号がカレンダー表示処理部に入力される。そして、カレンダー表示処理部は、第１指針が指示するカレンダー情報の種類を切り替え、第１指針が指示する種類のカレンダー情報の値を第２指針に指示させる。
これによれば、ユーザーは、確認したい種類のカレンダー情報を、操作手段を操作することで直ちに確認できる。
【図面の簡単な説明】
【００１８】
【図１】本発明の実施形態に係るアナログ電子時計の正面図である。
【図２】前記実施形態におけるアナログ電子時計の構成を示すブロック図である。
【図３】前記実施形態におけるカレンダー表示処理を示すフローチャートである。
【図４】前記実施形態におけるアナログ電子時計の表示例を示す図である。
【図５】前記実施形態におけるアナログ電子時計の他の表示例を示す図である。
【図６】前記実施形態における第２指針の移動例を示す図である。
【図７】前記実施形態における第２指針の他の移動例を示す図である。
【図８】前記実施形態における第２指針のさらに他の移動例を示す図である。
【発明を実施するための形態】
【００１９】
以下に、本発明の実施形態を図面に基づいて説明する。
図１は、アナログ電子時計１を示す正面図である。ここで、アナログ電子時計１は、本発明の時計を構成する。
図１に示すように、アナログ電子時計１は、円形の文字板２を備えている。文字板２には、時計表面側から見て、中心から１２時方向にずれた位置に円形の第１小窓２０が設けられ、中心から６時方向にずれた位置に円形の第２小窓３０が設けられている。
【００２０】
また、アナログ電子時計１は、通常の時刻表示を行う基本時計用指針としての時針１１、分針１２、秒針３１を備えている。時針１１、分針１２は、回転軸が文字板２の中心に位置している。秒針３１は、第２小窓３０に配置されている。
【００２１】
また、アナログ電子時計１は、回転軸が文字板２の中心に位置しているセンター針である第２指針１３を備えている。そして、文字板２の外周表面には、０から３１の数字が、外周縁に沿って表示されている。ここで、０から３１の数字は、時計表面側から見て、１２時位置から右回りに順番に配置されている。なお、１〜３１の数字は等間隔で配置されているが、０と１の数字の間隔、および、３１と０の数字の間隔は、他の数字の間隔よりも広い。これらの数字を第２指針１３が指示することで、日、月、閏年からの経過年（０，＋１〜＋３）のいずれかの種類のカレンダー情報の値が指示される。
【００２２】
また、アナログ電子時計１は、第１小窓２０に配置された第１指針２１を備えている。そして、第１小窓２０の周囲には、第１小窓２０の１時位置の近傍から４時位置の近傍にかけて、七曜の日曜日から土曜日を示す「Ｓ」、「Ｍ」、「Ｔ」、「Ｗ」、「Ｔ」、「Ｆ」、「Ｓ」の文字が表示されている。また、第１小窓２０の周囲には、第１小窓２０の８時位置の近傍に、月を示す「Ｍ」の文字が表示され、１０時位置の近傍に、経過年を示す「Ｌ」の文字が表示されている。
第１指針２１は、七曜を示す「Ｓ」〜「Ｓ」を指示することで、曜日を指示する。また、第１指針２１は、カレンダー情報の種類を指示する。すなわち、第１指針２１は、「Ｓ」〜「Ｓ」を指示することで、曜日を指示すると共に、カレンダー情報の種類が日であることを指示する。また、第１指針２１は、「Ｍ」を指示することで、カレンダー情報の種類が月であることを指示する。また、第１指針２１は、「Ｌ」を指示することで、カレンダー情報の種類が経過年であることを指示する。
また、アナログ電子時計１には、外部操作部材であるリューズ３と、同じく外部操作部材であるボタン４とが設けられている。ここで、ボタン４は本発明の操作手段を構成する。
【００２３】
図２は、アナログ電子時計１の構成を示すブロック図である。
図２に示すように、各指針１１〜１３，２１，３１は、４つのステップモーターでそれぞれ駆動される。すなわち、秒針３１は、秒針用ステップモーター４１で駆動され、時針１１、分針１２は、時分針用ステップモーター４２で駆動され、第１指針２１は、第１指針用ステップモーター４３で駆動され、第２指針１３は、第２指針用ステップモーター４４で駆動される。ここで、第１指針用ステップモーター４３は本発明の第１駆動手段を構成し、第２指針用ステップモーター４４は本発明の第２駆動手段を構成する。なお、秒針３１、時針１１、分針１２は、共通のステップモーターで駆動されていてもよい。
【００２４】
これらの各ステップモーター４１〜４４の駆動制御を行うために、アナログ電子時計１には、駆動制御回路５０が内蔵されている。
駆動制御回路５０は、第１スイッチ検出部５１、第２スイッチ検出部５２、機能処理部５３、時刻針駆動制御部５４、第１指針駆動制御部５５、第２指針駆動制御部５６、カレンダー情報記憶部５７を備えている。
【００２５】
第１スイッチ検出部５１は、ボタン４の押し込み操作を検出し、押し込み操作があった場合にその検出信号を機能処理部５３に出力する。ここで、第１スイッチ検出部５１は本発明の検出部を構成する。
第２スイッチ検出部５２は、リューズ３の操作を検出し、操作があった場合に操作に応じた検出信号を機能処理部５３に出力する。
時刻針駆動制御部５４は、水晶振動子等の基準信号発生回路から出力される基準信号（例えば１Ｈｚの信号）を利用してモーター駆動パルスを出力し、秒針用ステップモーター４１、時分針用ステップモーター４２を制御して、時針１１、分針１２、秒針３１の駆動を制御する。
第１指針駆動制御部５５は、基準信号発生回路から出力される基準信号を利用してモーター駆動パルスを出力し、第１指針用ステップモーター４３を制御して、第１指針２１の駆動を制御する。
第２指針駆動制御部５６は、基準信号発生回路から出力される基準信号を利用してモーター駆動パルスを出力し、第２指針用ステップモーター４４を制御して、第２指針１３の駆動を制御する。
【００２６】
カレンダー情報記憶部５７には、カレンダー情報として、日の値を示す日情報、月の値を示す月情報、経過年の値を示す経過年情報、曜日を示す曜日情報が記憶されている。カレンダー情報記憶部５７に記憶されているカレンダー情報は、後述するカレンダー情報設定部５３３により設定され、また、後述するカレンダー情報更新部５３４によって更新される。
【００２７】
機能処理部５３は、アナログ電子時計１における各種機能の処理を行うものである。機能処理部５３は、時刻表示処理部５３１、カレンダー表示処理部５３２、カレンダー情報設定部５３３、カレンダー情報更新部５３４を備えている。
時刻表示処理部５３１は、時刻針駆動制御部５４を利用し、時針１１、分針１２、秒針３１で現時刻の時分秒を表示させるものである。
【００２８】
カレンダー情報設定部５３３は、カレンダー情報設定モードにおいて、ボタン４の操作に基づいて、カレンダー情報記憶部５７に記憶されたカレンダー情報の値を設定する。なお、具体的なカレンダー情報の設定処理については後述する。
カレンダー情報更新部５３４は、基準信号発生回路から出力される基準信号を利用して時刻を計時し、時間の経過に応じてカレンダー情報記憶部５７に記憶されたカレンダー情報の値を更新する。このため、カレンダー情報記憶部５７には、現在の日情報、月情報、経過年情報、曜日情報が記憶されている。
【００２９】
カレンダー表示処理部５３２は、第１処理部５３２Ａ、第２処理部５３２Ｂを備える。
第１処理部５３２Ａは、第１指針用ステップモーター４３を制御して、第１指針２１の移動を制御する。
具体的に、第１処理部５３２Ａは、通常モードにおいて、ボタン４が押し込まれ、第１スイッチ検出部５１から検出信号が入力されると、第１指針２１を移動させ、第１指針２１が指示するカレンダー情報の種類を切り替える。
ここで、第１処理部５３２Ａは、第１指針２１にカレンダー情報の種類が日であることを指示させる際、七曜を示す「Ｓ」〜「Ｓ」のうち、カレンダー情報記憶部５７に記憶されている曜日情報に対応する文字を指示させ、曜日を指示させる。
【００３０】
第２処理部５３２Ｂは、第２指針用ステップモーター４４を制御して、第２指針１３の移動を制御する。
具体的に、第２処理部５３２Ｂは、通常モードにおいて、第１指針２１が指示するカレンダー情報の種類が切り替えられると、カレンダー情報記憶部５７に記憶されているカレンダー情報のうち、第１指針２１が指示する種類のカレンダー情報の値に対応する数字を、第２指針１３に指示させ、当該カレンダー情報の値を指示させる。
【００３１】
［カレンダー情報設定処理］
次に、カレンダー情報記憶部５７に記憶されたカレンダー情報の設定処理について説明する。
リューズ３が引き出されると、機能処理部５３は、カレンダー情報設定モードに移行する。この状態でボタン４が押されると、第１処理部５３２Ａは、第１指針２１を移動させ、七曜を示す「Ｓ」〜「Ｓ」、月を示す「Ｍ」、経過年を示す「Ｌ」を順次指示させる。また、リューズ３が回転操作されると、第２処理部５３２Ｂは、第２指針１３を移動させる。
そして、カレンダー情報設定部５３３は、第１指針２１が「Ｓ」〜「Ｓ」のいずれかを指示した状態で、リューズ３が回転操作されて第２指針１３が移動し、その後リューズ３が押し込まれると、第２指針１３が指示している数字の値を、カレンダー情報記憶部５７の日情報の値に設定する。
また、カレンダー情報設定部５３３は、第１指針２１が月を示す「Ｍ」を指示した状態で、リューズ３が回転操作されて第２指針１３が移動し、その後リューズ３が押し込まれると、第２指針１３が指示している数字の値を、カレンダー情報記憶部５７の月情報の値に設定する。
また、カレンダー情報設定部５３３は、第１指針２１が経過年を示す「Ｌ」を指示した状態で、リューズ３が回転操作されて第２指針１３が移動し、その後リューズ３が押し込まれると、第２指針１３が指示している数字の値を、カレンダー情報記憶部５７の経過年情報の値に設定する。
なお、カレンダー情報設定部５３３は、第１指針２１が七曜を示す「Ｓ」〜「Ｓ」のいずれかを指示した状態で、リューズ３が押し込まれると、第１指針２１が指示している曜日を、カレンダー情報記憶部５７の曜日情報に設定する。
そして、上述したようにリューズ３が押し込まれると、機能処理部５３は、通常モードに移行する。
なお、本実施形態では、カレンダー情報設定モードにおいて、リューズ３が回転操作されることで、第２指針１３は移動するが、例えば、ボタン４とは別のボタンをアナログ電子時計１に設け、このボタンが押し込まれることで、第２指針１３が移動するようにしてもよい。
【００３２】
［カレンダー表示処理］
次に、カレンダー表示処理部５３２が実行するカレンダー表示処理について説明する。
図３は、カレンダー表示処理を示すフローチャートである。カレンダー表示処理は、機能処理部５３が通常モードのときに実行される。
カレンダー表示処理が実行されると、第１処理部５３２Ａは、図１に示すように、第１指針２１を移動させて、七曜を示す「Ｓ」〜「Ｓ」のうち、カレンダー情報記憶部５７に記憶されている曜日情報に対応する文字を指示させ、曜日を指示させる。また、これにより、カレンダー情報の種類が日であることを指示させる。また、第２処理部５３２Ｂは、第２指針１３を移動させて、カレンダー情報記憶部５７に記憶されている日情報の値（１〜３１）に対応した数字を指示させ、当該日情報の値を指示させる。これらにより、日情報が表示される（Ｓ１１）。なお、この表示状態が、通常時の表示状態となる。
【００３３】
次に、カレンダー表示処理部５３２は、第１スイッチ検出部５１から検出信号が入力されたか否かを判定することで、ボタン４が押されたか否かを判定する（Ｓ１２）。
Ｓ１２でＮＯと判定された場合、第１処理部５３２Ａおよび第２処理部５３２Ｂは、Ｓ１１の処理を継続する。なお、Ｓ１２でＹＥＳと判定されないまま、時間が経過し、カレンダー情報記憶部５７に記憶されている日情報の値および曜日情報が更新された場合は、第１処理部５３２Ａは第１指針２１を移動させて更新後の曜日を指示させ、第２処理部５３２Ｂは第２指針１３を移動させて更新後の日情報の値を指示させる。
一方、Ｓ１２でＹＥＳと判定された場合、第１処理部５３２Ａは、図４に示すように、第１指針２１を移動させて、月を示す「Ｍ」を指示させ、カレンダー情報の種類が月であることを指示させる。また、第２処理部５３２Ｂは、第２指針１３を移動させて、カレンダー情報記憶部５７に記憶されている月情報の値（１〜１２）に対応した数字を指示させ、当該月情報の値を指示させる。これらにより、月情報が表示される（Ｓ１３）。
【００３４】
次に、カレンダー表示処理部５３２は、第１スイッチ検出部５１から検出信号が入力されたか否かを判定する（Ｓ１４）。
Ｓ１４でＮＯと判定された場合、第１処理部５３２Ａおよび第２処理部５３２Ｂは、Ｓ１３の処理を継続する。なお、Ｓ１４でＹＥＳと判定されないまま、時間が経過し、カレンダー情報記憶部５７に記憶されている月情報の値が更新された場合は、第２処理部５３２Ｂは第２指針１３を移動させて更新後の月情報の値を指示させる。
一方、Ｓ１４でＹＥＳと判定された場合、第１処理部５３２Ａは、図５に示すように、第１指針２１を移動させて、経過年を示す「Ｌ」を指示させ、カレンダー情報の種類が経過年であることを指示させる。また、第２処理部５３２Ｂは、第２指針１３を移動させて、カレンダー情報記憶部５７に記憶されている経過年情報の値（０〜３）に対応した数字を指示させ、当該経過年情報の値を指示させる。これらにより、経過年情報が表示される（Ｓ１５）。
【００３５】
次に、カレンダー表示処理部５３２は、第１スイッチ検出部５１から検出信号が出力されたか否かを判定する（Ｓ１６）。
Ｓ１６でＮＯと判定された場合、第１処理部５３２Ａおよび第２処理部５３２Ｂは、Ｓ１５の処理を継続する。なお、Ｓ１６でＹＥＳと判定されないまま、時間が経過し、カレンダー情報記憶部５７に記憶されている経過年情報の値が更新された場合は、第２処理部５３２Ｂは第２指針１３を移動させて更新後の経過年情報の値を指示させる。
一方、Ｓ１６でＹＥＳと判定された場合、カレンダー表示処理部５３２は、処理をＳ１１に戻し、Ｓ１１〜Ｓ１６の処理を繰り返し実行する。
【００３６】
［第２指針の移動方法］
次に、第２処理部５３２Ｂによる第２指針１３の移動方法について説明する。
第２処理部５３２Ｂは、時間が経過し、カレンダー情報記憶部５７に記憶されているカレンダー情報の値が更新され、第２指針１３に次の値を指示させる際や、カレンダー情報設定モードにおいてリューズ３が回転操作され、第２指針１３に次の値を指示させる際、第２指針１３を次のように移動させる。
まず、第１指針２１が曜日を指示し、カレンダー情報の種類が日であることを指示している場合について説明する。この場合、第２指針１３が１〜３０の数字を指示している場合には、時計表面側から見て、第２指針１３を右回りに回転（正転）させ、次の数字を指示させる。そして、第２指針１３が３１の数字を指示している場合には、図６に示すように、第２指針１３を右回りに回転させ、０の数字を指示する位置を早送りで移動させ、１の数字を指示させる。
【００３７】
次に、第１指針２１が月を示す「Ｍ」を指示し、カレンダー情報の種類が月であることを指示している場合について説明する。この場合、第２指針１３が１〜１１の数字を指示している場合には、第２指針１３を右回りに回転させ、次の数字を指示させる。そして、第２指針１３が１２の数字を指示している場合には、図７に示すように、第２指針１３を左回りに回転（逆転）させ、２〜１１の数字を指示する位置を通過させ、１の数字を指示させる。これによれば、第２指針１３を右回りに回転させ、１３〜３１，０の数字を指示する位置を通過させ１の数字を指示させる場合と比べて、第２指針１３の移動距離を短くできる。このように、第２指針１３の移動範囲は、１〜１２の数字を指示する範囲内に限定される。
【００３８】
次に、第１指針２１が経過年を示す「Ｌ」を指示し、カレンダー情報の種類が経過年であることを指示している場合について説明する。この場合、第２指針１３が０〜２の数字を指示している場合には、第２指針１３を右回りに回転させ、次の数字を指示させる。そして、第２指針１３が３の数字を指示している場合には、図８に示すように、第２指針１３を左回りに回転させ、１，２の数字を指示する位置を通過させ、０の数字を指示させる。これによれば、第２指針１３を右回りに回転させ、４〜３１の数字を指示する位置を通過させ１の数字を指示させる場合と比べて、第２指針１３の移動距離を短くできる。このように、第２指針１３の移動範囲は、０〜３の数字を指示する範囲内に限定される。
【００３９】
［実施形態の作用効果］
ユーザーがボタン４を操作して、第１指針２１にカレンダー情報の種類の１つを指示させると、第２指針１３は、第１指針２１が指示する種類のカレンダー情報の値を指示する。これにより、ユーザーは、第１指針２１が指示するカレンダー情報の種類と、第２指針１３が指示するカレンダー情報の値とに基づいて、カレンダー情報を確認できる。そして、ユーザーは、ボタン４を操作して、第１指針２１が指示するカレンダー情報の種類を切り替えることで、日情報、月情報、経過年情報を確認できる。すなわち、ユーザーは、確認したい種類のカレンダー情報を、ボタン４を操作することで直ちに確認できる。
また、第２指針１３はカレンダー情報の値（０〜３１）を指示すればよいので、例えば、第２指針１３が、１日〜３１日を示す記号や目盛と、１月〜１２月を示す記号や目盛と、０年〜３年を示す記号や目盛を指示することで、第２指針１３のみで日情報、月情報、経過年情報を指示する場合と比べて、第２指針１３の指示位置の間隔を広くでき、カレンダー情報を分かり易く表示できる。
【００４０】
第２指針１３は、０〜３１のうち、第１指針２１が日を指示する場合には、１〜３１のいずれかを指示し、第１指針２１が月を指示する場合には、１〜１２のいずれかを指示し、第１指針２１が経過年を指示する場合には、０〜３のいずれかを指示する。したがって、第２指針１３は、０〜３１の３２個の値を指示することで、日情報の値、月情報の値、経過年情報の値を指示できる。
【００４１】
第１指針２１は、曜日を指示することで、カレンダー情報の種類が日であることを指示する。このため、ユーザーは、第１指針２１が曜日を指示することで、曜日を確認できると共に、カレンダー情報の種類が日であることを確認でき、第２指針１３が指示する値に基づいて、日情報を確認できる。これにより、アナログ電子時計１をさらに使い易くできる。また、第１指針２１および第２指針１３に加えて、曜日を指示する専用の指針を別途設ける必要がないため、当該専用の指針を別途設ける場合と比べて、アナログ電子時計１が備える指針の数を少なくできる。これにより、ステップモーターや輪列の数も少なくできる。
【００４２】
第２指針１３の移動範囲は、第１指針２１が月を指示する場合には、１〜１２を指示する範囲内に限定され、第１指針２１が経過年を指示する場合には、０〜３を指示する範囲内に限定される。このため、上述したように、カレンダー情報記憶部５７に記憶されているカレンダー情報の値が更新され第２指針１３が移動する際や、カレンダー情報設定モードにおいて第２指針１３が移動する際、第２指針１３の移動距離を短くできる。これにより、アナログ電子時計１の消費電力を低減でき、また、カレンダー情報の値の設定を迅速に行うことができる。
【００４３】
［他の実施形態］
なお、本発明は前記実施形態に限定されず、本発明の要旨の範囲内で種々の変形実施が可能である。
前記実施形態では、第１指針２１は、カレンダー情報の種類が、日、月、経過年であることを指示可能に構成されているが、本発明はこれに限定されない。例えば、日、月のみ指示可能に構成されていてもよい。この場合、第２指針１３は、１〜３１を指示可能に構成されていればよい。
また、前記実施形態では、第１指針２１は、曜日を指示することで、カレンダー情報の種類が日であることを指示しているが、本発明はこれに限定されない。例えば、第１小窓２０の周囲に日を示す記号を表示させ、この記号を第１指針２１に指示させることで、カレンダー情報の種類が日であることを指示させるようにしてもよい。
【００４４】
前記実施形態では、第２指針１３は、０〜３１の数字を指示することで、カレンダー情報の値を指示しているが、本発明はこれに限定されない。例えば、０〜３１に対応した記号等を指示することで、カレンダー情報の値を指示してもよい。
【００４５】
前記実施形態では、第１指針２１が月および経過年を指示している場合、第２指針１３の移動範囲は限定されているが、本発明はこれに限定されない。すなわち、移動範囲は限定されていなくてもよい。
この場合、第２指針１３は、第１指針２１が月を指示する場合には、０，１３〜３１を指示する位置は早送りで移動し、第１指針２１が経過年を指示する場合には、４〜３１を指示する位置は早送りで移動する。なお、第２指針１３は、第１指針２１が日を指示する場合には、０を指示する位置は早送りで移動する。
これによれば、カレンダー情報設定処理において、第２指針１３は、設定対象ではない値を指示する位置は早送りで移動するため、第２指針１３が早送りで移動しない場合と比べて、カレンダー情報の値の設定を迅速に行うことができる。
【００４６】
前記実施形態では、第２処理部５３２Ｂは、第１指針２１が指示するカレンダー情報の種類が切り替えられると、これに連動して、第１指針２１が指示する種類のカレンダー情報の値を第２指針１３に指示させているが、本発明はこれに限定されない。
すなわち、第２処理部５３２Ｂは、第２指針１３の移動を、第１指針２１に連動させて行わなくてもよい。
例えば、リューズ３が引き出された状態で、第１指針２１の指示位置の切り替えが行われるようにし、第２処理部５３２Ｂが、リューズ３が押し込まれたタイミングで、第２指針を移動させるようにしてもよい。
【００４７】
前記実施形態では、第１指針２１が七曜を示す「Ｓ」〜「Ｓ」を指示することで、曜日が表示されているが、本発明はこれに限定されない。
例えば、第１小窓２０の周囲にカレンダー情報の種類が曜日であることを示す記号を表示させ、この記号を第１指針２１に指示させ、かつ、第２指針１３に曜日の値を指示させることで、曜日を表示させてもよい。
【００４８】
前記実施形態では、カレンダー情報の値を第２指針１３が指示しているが、本発明はこれに限定されない。
例えば、カレンダー情報の値を秒針３１が指示するようにしてもよい。秒針３１は、センター針である第２指針１３に比べて移動領域が小さいが、０〜３１の値であれば、ユーザーが認識可能な範囲で指示できる。
【００４９】
前記実施形態では、カレンダー情報記憶部５７に記憶されたカレンダー情報は、カレンダー情報設定処理によって設定されているが、本発明はこれに限定されない。
例えば、標準電波やＧＰＳ（Global Positioning System）衛星から送信される衛星信号等、カレンダー情報を含む電波を外部から受信することで設定してもよい。
【符号の説明】
【００５０】
１…アナログ電子時計、１３…第２指針、２…文字板、２０…第１小窓、２１…第１指針、４…ボタン、４３…第１指針用ステップモーター、４４…第２指針用ステップモーター、５０…駆動制御回路、５１…第１スイッチ検出部、５３…機能処理部、５３２…カレンダー表示処理部、５３２Ａ…第１処理部、５３２Ｂ…第２処理部、５３３…カレンダー情報設定部、５３４…カレンダー情報更新部、５５…第１指針駆動制御部、５６…第２指針駆動制御部、５７…カレンダー情報記憶部。
【図１】
0006350313.tif 000002
【図２】
0006350313.tif 000003
【図３】
0006350313.tif 000004
【図４】
0006350313.tif 000005
【図５】
0006350313.tif 000006
【図６】
0006350313.tif 000007
【図７】
0006350313.tif 000008
【図８】
0006350313.tif 000009